(57)【要約】【課題】格別の防水構造が不要で、放電バルブ以外の他光源使用のものとの間で、ランプハウジングを共通化することができ、コストを低減化することができ、高電圧発生回路の交換作業も容易に行うことができること。【解決手段】ランプハウジング５とその前面に配設される前面レンズ６とにより灯室７が画成されており、この灯室７内に、少なくとも１個の放電バルブ２からなる光源Ａと、光源Ａの光を前面レンズ６方向に反射させるリフレクタ４とを備え、前面レンズ６は、ランプハウジング５に着脱可能に取り付けられており、かつ放電バルブ２に給電する高電圧発生回路８は、ランプハウジング５の前面開口部５ｅから着脱操作可能な固着部２０を有して、リフレクタ４とランプハウジング５の各側壁間のランプハウジング５に固着されている。【選択図】      図２
2005011718.tif 000002
【特許請求の範囲】
【請求項１】
ランプハウジングとその前面に配設される前面レンズとにより灯室が画成されており、この灯室内に、少なくとも１個の放電バルブからなる光源と、前記光源の光を前記前面レンズ方向に反射させるリフレクタとを備えて構成されるヘッドランプ装置であって、
前記前面レンズは、前記ランプハウジングに着脱可能に取り付けられており、前記放電バルブに給電する高電圧発生回路は、前記ランプハウジングの前面開口部から着脱操作可能な固着部を有して、前記リフレクタとランプハウジングの各側壁間の前記ランプハウジングに固着されていることを特徴とするヘッドランプ装置。
【請求項２】
請求項１に記載のヘッドランプ装置であって、
前記灯室内には、エクステンションが前記前面レンズに固着されて配設されていることを特徴とするヘッドランプ装置。
【発明の詳細な説明】
【０００１】
【発明の属する技術分野】
本発明は、少なくとも１個の放電バルブを光源として用いているヘッドランプ装置に関する。
【０００２】
【従来の技術】
図５〜図７は、放電バルブを備えたヘッドランプ装置１００を示す（例えば、特許文献１参照）。このヘッドランプ装置１００は、ランプハウジング５とその前面に配設される前面レンズ６とにより灯室７が画成されており、この灯室７内に、放電バルブ２からなる光源Ａと、光源Ａの光を前面レンズ６方向に反射させるリフレクタ４とを備えて大略構成されている。放電バルブ２に給電する高電圧発生回路８は、灯室７に隣接させて区画形成される回路装着部１４内に設けられている。
【０００３】
このとき光源Ａは、放電バルブ２とシェード９とで構成されている。放電バルブ２は、ソケット３に着脱可能に取り付けられており、このソケット３はリフレクタ４に着脱可能に取り付けられている。リフレクタ４は、灯室７内に、上下方向および左右方向に傾動可能に設けられている。また、灯室７内のリフレクタ４の前方には、その開口周縁形状に沿ってエクステンション１０が設けられている。
【０００４】
放電バルブ２は、その点灯のために高電圧を必要とするため、ソケット３および高圧コード１１を介して高電圧発生回路８に接続されている。この高電圧発生回路８は、始動回路および安定回路からなり、外部を金属製のケースで覆って構成されており、灯室７内においてランプハウジング５の下面壁５ａとリフレクタ４の下面壁４ａとの間に配置されている。
【０００５】
また、ランプハウジング５の後壁５ｂには、放電バルブ２を交換するためのバルブ交換用開口部５ｃが形成されており、このバルブ交換用開口部５ｃには、大バックカバー１２が取り付けられている。その上、後壁５ｂの下端と下面壁５ａの後端との間には横長矩形状の開口部５ｄが形成されており、この開口部５ｄは、小バックカバー１３で塞がれている。これによりランプハウジング５の下面壁５ａの上側部分（灯室７側部分）に、高電圧発生回路８を装着するための回路装着部１４が形成される。
【０００６】
回路装着部１４は、図５および図６に示すように、左右一対の側壁部１４ａと前壁部１４ｂと上壁部１４ｃとを備えている。上壁部１４ｃの後方側には、回路装着部１４の内部空間を灯室７と連通させる連通開口部１４ｄが形成されている。
【０００７】
そして、高電圧発生回路８は、その高圧コード１１を予めランプハウジング５の開口部５ｄおよび連通開口部１４ｄを介して灯室７内に引き出しておいて、ランプハウジング５の開口部５ｄに後方から挿入することにより回路装着部１４に装着される。高電圧発生回路８は、回路装着部１４内の係止金具１７に位置決め保持されることによって装着され、その後、開口部５ｄを小バックカバー１３で塞ぐ。
【０００８】
このとき小バックカバー１３は、その前面周縁部に、全周に亘ってシール溝１３ａが形成されており、このシール溝１３ａ内にガスケット１５を装填した状態で、開口部５ｄの後端面に押し当てられ、その左右両端部においてねじ１６によりランプハウジング５に取り付けられている。
【０００９】
（特許文献１）
特開平１１−２０３９０１号公報（明細書段落番号（００２８）〜  （００３８）、図１、図２、図３）
【００１０】
【発明が解決しようとする課題】
このようにヘッドランプ装置１００におけるランプハウジング５は、その一部に隣接させて回路装着部１４を設けることによって、放電バルブ２を光源Ａとするランプハウジングとして専用化されて形成される。
【００１１】
このためヘッドランプ装置１００は、放電バルブ以外の高電圧発生回路を必要としないランプ、例えばハロゲンランプを光源とするヘッドランプ装置に用いられているランプハウジングをそのまま使用することができず、ひいてはランプハウジング５の共通化を図れない分コスト高を招く、という課題を有している。
【００１２】
また、ヘッドランプ装置１００は、回路装着部１４も対環境性能を向上したものとして構成する必要があるため、小バックカバー１３やガスケット１５等からなる防水構造が必要となるなど、部品点数および取付工数の増加、並びにそれ等に起因するコスト高を招く、という課題を有している。
【００１３】
その上、ヘッドランプ装置１００は、高電圧発生回路８の故障時の取り替えを、装置１００の後方位置にある小バックカバー１３を開放して行うため、作業が面倒である、という課題をも有している。
【００１４】
そこで、本発明は、放電バルブの高電圧発生回路を灯室内に取り付け可能とすることで、格別の防水構造が不要で、以て放電バルブ以外の高電圧発生回路の設置を必要としないものとの間で、ランプハウジングの共通化を図ることができ、ひいてはコストの低減化を図ることができると共に、高電圧発生回路の交換作業も容易に行うことができるヘッドランプ装置を提供することを目的としている。
【００１５】
【課題を解決するための手段】
前記した目的を達成するため、請求項１記載の発明は、ランプハウジングとその前面に配設される前面レンズとにより灯室が画成されており、この灯室内に、少なくとも１個の放電バルブからなる光源と、前記光源の光を前記前面レンズ方向に反射させるリフレクタとを備えて構成されるヘッドランプ装置であって、
前記前面レンズは、前記ランプハウジングに着脱可能に取り付けられており、
前記放電バルブに給電する高電圧発生回路は、前記灯室内で、前記ランプハウジングの前面開口部から着脱操作可能な固着部を有して、前記リフレクタとランプハウジングの各側壁間の前記ランプハウジングに固着されていることを特徴とする。
【００１６】
このため、請求項１記載の発明では、放電バルブに給電する高電圧発生回路を、ランプハウジングの側壁の内側部分である灯室内に固着するようにしたので、前記ランプハウジングの側壁に対する前記灯室への貫通手段としての貫通孔の穿設、および前記固着箇所の防水構造が不要である。
【００１７】
また、ランプハウジングは、前記したように貫通孔および防水構造を不要とし、前記貫通孔を塞ぐ手間も不要であるばかりでなく大きさの拡大を伴うものでもないから、そのまま、放電バルブ以外の高電圧発生回路の設置を必要としないランプを光源とするヘッドランプ装置にも用いることができる。
【００１８】
さらに、高電圧発生回路は、ランプハウジングの前面開口部から着脱操作可能な固着部を有してランプハウジングに固着されているので、前面レンズをランプハウジングから離脱させることにより、車体搭載状態でも前記固着部を介して容易に交換作業を行うことができる。
【００１９】
また、請求項２記載の発明は、請求項１に記載のヘッドランプ装置であって、
前記灯室内には、エクステンションが前記前面レンズに固着されて配設されていることを特徴とする。
【００２０】
このため、請求項２記載の発明では、エクステンションは、前面レンズのランプハウジングからの離脱時に、前面レンズに伴って灯室内から離脱され、これにより高電圧発生回路の着脱操作空間を容易に確保することができる。
【００２１】
【発明の実施の形態】
以下、本発明の実施の形態を図面に基づいて説明する。なお、図５〜図７に示すものと同一の機能を奏するものは同一の符号を付してその詳細な説明は省略する。
【００２２】
図１および図２は、本発明の一実施形態としてのヘッドランプ装置１を示す。このヘッドランプ装置１は、ランプハウジング５とその前面に配設される前面レンズ６とにより灯室７が画成されており、この灯室７内に、少なくとも１個の放電バルブ２からなる光源Ａと、光源Ａの光を前面レンズ６方向に反射させるリフレクタ４とを備えて大略構成されている。ヘッドランプ装置１は、光源Ａと光源Ｂとを有して４灯式に構成されている。光源Ｂは、例えばハロゲンランプを用いると共に、リフレクタ４０を伴って構成される。
【００２３】
このとき前面レンズ６は、ランプハウジング５に着脱可能に取り付けられており、かつ放電バルブ２に給電する高電圧発生回路８は、ランプハウジング５の前面開口部５ｅから着脱操作可能な固着部２０を有して、リフレクタ４とランプハウジング５の各側壁間（下面壁４ａ、５ａ間）のランプハウジング５に固着されている。
【００２４】
具体的には、ランプハウジング５は、その後壁に、各光源Ａ、Ｂに対応させて放電バルブ２、ハロゲンランプのそれぞれを交換するためのバルブ交換用開口部５ｃ（ハロゲンランプの交換用開口部は図示せず）が形成されており、このバルブ交換用開口部５ｃには、大バックカバー１２が取り付けられている。ハロゲンランプの交換用開口部も同様にカバーが取り付けられている。なお、ヘッドランプ装置１において、光源Ｂ側の部分は、従来と同様に構成されているので、以下光源Ａ側の部分について
ランプハウジング５の前面開口部５ｅの周縁部には、全周縁部に沿ってＵ字形断面のシール溝５ｆが形成されており、このシール溝５ｆには易剥離性で、弾性を有するシール部材１８が装填されている。このシール部材１８は、ホットメルトのように固化したときの接着力が強く、そのため剥離性能を全く有しないものと相違し、良好なシール性能と剥離性能を有する弾性部材で構成されるものであって、例えば、液体状の弾性ホットメルト型シール材または発泡性シール材をシール溝５ｆに供給して、シール材が固化または硬化により固形化した弾性シール材が用いられる。本実施形態では、シール部材１８は、発泡性シール材が硬化したもので、図２（ｂ）に示すように、内側に折曲する弾性片１８ａを両側に有する、Ｕ字形断面の弾性長尺材で構成されている。
【００２５】
また、前面レンズ６は、その後端側の全周縁部に沿って脚部６ａが形成されており、この脚部６ａを介してランプハウジング５に着脱可能に取り付けられている。すなわち、前面レンズ６は、その脚部６ａを、ランプハウジング５のシール溝５ｆに装填されているシール部材１８のＵ字形内部に挿入すると共に、ランプハウジング５との間の凹凸ランス固定やねじ止めあるいはクリップ等を利用して機械的に係止されている。本実施形態では、クリップ１９が用いられており、このため前面レンズ６には、脚部６ａの前部側にクリップ１９の係止する係止片６ｂが設けられている。このクリップ１９の係止状態では、脚部６ａに対するシール部材１８の密着により良好なシール性能を奏することができると共に、クリップ１９の係止解除により、前面レンズ６をランプハウジング５から容易に離脱させることができる良好な剥離性能を奏することができる。なお、図２（ａ）中、符号２４は、前面レンズ６の上辺部に形成される取手部であり、前面レンズ６の離脱時に把持される。
【００２６】
また、高電圧発生回路８は、始動回路および安定回路からなり、外部を金属製のケースで覆って構成されており、灯室７内においてランプハウジング５の下面壁５ａとリフレクタ４の下面壁４ａとの間に配置されて、前記ケースの両側壁に設けたブラケット８ａを介してランプハウジング５に固着されている（図２（ａ）参照）。固着された高電圧発生回路８は、エクステンション１０により前面レンズ６の外方からの視認が妨げられて見栄えの向上が図られており、かつ高圧コード１１およびソケット３を介して放電バルブ２に電気的に接続している。
【００２７】
このときの高電圧発生回路８の固着部２０は、図３（ａ）に示すように、ランプハウジング５の前面開口部５ｅ方向へ突出させてその後壁５ｂに一体的に設けられた一対のボス２１と、ボス２１の先端面に当接する高電圧発生回路８の一対のブラケット８ａと、各ブラケット８ａを各ボス２２の先端面に締結する締結ねじ２２とから構成されている。
【００２８】
このように構成された固着部２０では、高電圧発生回路８の固着状態（図３（ａ）参照）において、締結ねじ２２の頭部がランプハウジング５の前面開口部５ｅに対向して配置されることになる。このため、クリップ１９の係止解除により、前面レンズ６をランプハウジング５から離脱させ（必要とあらば、エクステンション１０もランプハウジング５から離脱させる）てランプハウジング５の前面開口部５ｅを開放することにより、固着部２０は、ランプハウジング５の下面壁５ａとリフレクタ４の下面壁４ａとの間に露出することになるので、ドライバ等の適宜の器具を用いて前面開口部５ｅを介して締結ねじ２２の頭部を操作することにより締結ねじ２２の締結状態を容易に解除することができ、これにより高電圧発生回路８の固着を解くことができる（図３（ｂ）、および図４参照）。逆に、ランプハウジング５の前面開口部５ｅを開放した状態で、前面開口部５ｅを介して締結ねじ２２によりブラケット８ａをボス２２の先端面に締結することにより、高電圧発生回路８をランプハウジング５に固着することができる。
【００２９】
以上のようにして構成されたヘッドランプ装置１は、放電バルブ２に給電する高電圧発生回路８を、ランプハウジング５の側壁の内側部分である灯室７内に固着するようにしたので、従来必要としていた、ランプハウジング５の側壁に対する灯室７への貫通手段としての貫通孔の穿設、および前記固着箇所の防水構造が不要であり、ひいては装置の大型化を伴うこと無く、構造簡単でコストの低減化をも達成することができる。ヘッドランプ装置１は、大型化にならない分、他部品との不用意な干渉が避けられ、従来通りの取り付けスペースで車体搭載可能である。
【００３０】
また、ランプハウジング５は、貫通孔および防水構造を不要とし、前記貫通孔を塞ぐ手間も不要であるばかりでなく、大きさの拡大を伴うものでもないから、そのまま、放電バルブ２以外の高電圧発生回路８の設置を必要としないランプを光源とするヘッドランプ装置にも用いることができ、ひいてはランプハウジング５の共通化を図ることができ、この点でもコストの低減化を図ることができる。後者のヘッドランプ装置への適用の場合、ランプハウジング５に形成されるボス２１はそのまま残される。
【００３１】
さらに、高電圧発生回路８は、ランプハウジング５の前面開口部５ｅから着脱操作可能な固着部２０を有してランプハウジング５に固着されているので、前面レンズ６をランプハウジング５から離脱させることにより、車体搭載状態でも固着部２０を介して容易に交換作業を行うことができ、ひいては保守点検作業の容易化を図ることができる。
【００３２】
また、好ましくは、ヘッドランプ装置１は、本実施形態のように、エクステンション１０が前面レンズ６に固着されて灯室７内に配設されることによって構成される。本実施形態では、エクステンション１０は、その外周縁に沿って取付片１０ａが間欠的に形成されており、その取付片１０ａを、図２（ｂ）に示すように、前面レンズ６の脚部６ａの内側の段部６ｃに当接させると共に、締結ねじ２３により締結することにより固着されている。
【００３３】
この構成では、エクステンション１０は、図４に示すように、前面レンズ６のランプハウジング５からの離脱時に、前面レンズ６に伴って灯室７内から離脱され、これにより高電圧発生回路８の着脱操作空間を容易に確保することができ、これにより車体搭載状態でも固着部２０を介して容易に高電圧発生回路８の交換作業を行うことができる。
【００３４】
【発明の効果】
以上、詳述したように、請求項１記載の発明によれば、放電バルブの高電圧発生回路を灯室内に取り付け可能とすることで、格別の防水構造が不要で、以て放電バルブ以外の高電圧発生回路の設置を必要としないものとの間で、ランプハウジングの共通化を図ることができ、ひいてはコストの低減化を図ることができると共に、高電圧発生回路の交換作業も容易に行うことができるヘッドランプ装置を提供することができる。
【００３５】
また、請求項２記載の発明によれば、エクステンションは、前面レンズのランプハウジングからの離脱時に、前面レンズに伴って灯室内から離脱され、これにより高電圧発生回路の着脱操作空間を容易に確保することができるので、請求項１記載の発明の効果に加えて、高電圧発生回路の交換作業の一層の容易化を図ることができる。
【図面の簡単な説明】
【図１】本発明の一実施形態としてのヘッドランプ装置の概略正面図である。
【図２】図１のヘッドランプ装置の光源Ａ部分の断面図で、（ａ）は全体図、（ｂ）は要部図である。
【図３】図２のヘッドランプ装置の高電圧発生回路で、（ａ）はその固着状態図、（ｂ）はその取り外し状態図である。
【図４】図２（ａ）のヘッドランプ装置の作動説明図である。
【図５】従来のヘッドランプ装置の断面図である。
【図６】図５のヘッドランプ装置の要部断面図である。
【図７】図５のヘッドランプ装置の部分背面図である。
【符号の説明】
１  ヘッドランプ装置
２  放電バルブ
４  リフレクタ
５  ランプハウジング
５ｅ  前面開口部（ランプハウジングの）
６  前面レンズ
７  灯室
８  高電圧発生回路
１０  エクステンション
２０  固着部
Ａ  光源
【図１】
2005011718.tif 000003
【図２】
2005011718.tif 000004
【図３】
2005011718.tif 000005
【図４】
2005011718.tif 000006
【図５】
2005011718.tif 000007
【図６】
2005011718.tif 000008
【図７】
2005011718.tif 000009